【手続補正書】
【提出日】平成20年6月9日(2008.6.9)
【手続補正１】
【補正対象書類名】明細書
【補正対象項目名】特許請求の範囲
【補正方法】変更
【補正の内容】
【特許請求の範囲】
【請求項１】
画像に対して符号化を行う画像符号化装置であって、
画像において、他の領域よりも高解像度で復号を要求する領域を示す領域情報を生成する領域情報生成手段と、
画像に対して周波数変換を施し、サブバンド毎の係数を生成する周波数変換手段と、
前記周波数変換手段によるサブバンドのうち、予め定められた高周波数成分に含まれるサブバンドを構成する係数を、前記領域情報に応じて修正する修正手段と、
前記修正手段により修正された係数を含む全ての係数についてエントロピ符号化を行い、符号列を生成する符号化手段と
を備えることを特徴とする画像符号化装置。
【請求項２】
他の領域よりも高解像度で復号を要求する領域は文字領域を含むことを特徴とする請求項１に記載の画像符号化装置。
【請求項３】
前記修正手段は、前記予め定められた高周波数成分に含まれるサブバンドを構成する係数、もしくは当該係数の量子化値が、他の領域よりも高解像度で復号を要求する領域に含まれているか否かを示すマスク情報を前記領域情報に基づいて生成し、当該マスク情報に応じて前記係数、もしくは前記係数の量子化値を修正することを特徴とする請求項１又は２に記載の画像符号化装置。
【請求項４】
前記修正手段は、前記予め定められた高周波数成分に含まれる各サブバンドに対して前記マスクを生成することを特徴とする請求項３に記載の画像符号化装置。
【請求項５】
前記修正手段は、前記予め定められた高周波数成分に含まれるサブバンドを構成する係数、もしくは当該係数の量子化値が、他の領域よりも高解像度で復号を要求する領域に含まれていない場合に、前記係数、もしくは前記係数の量子化値を修正することを特徴とする請求項１に記載の画像符号化装置。
【請求項６】
前記修正手段は、前記予め定められた高周波数成分に含まれるサブバンドを構成する係数、もしくは当該係数の量子化値が、他の領域よりも高解像度で復号を要求する領域に含まれていない場合、前記係数、もしくは前記係数の量子化値を０に修正することを特徴とする請求項５に記載の画像符号化装置。
【請求項７】
前記周波数変換手段は、離散ウェーブレット変換を用いることを特徴とする請求項１に記載の画像符号化装置。
【請求項８】
画像に対して符号化を行う画像符号化装置であって、
画像を予め定められたサイズのタイルに分割する分割手段と、
前記分割手段による各タイルに対して周波数変換を行い、各タイルに対するサブバンド毎の係数を生成する周波数変換手段と、
前記分割手段による各タイルに特定の領域が含まれているか否かの判定結果を生成する判定手段と、
前記周波数変換手段によるサブバンドのうち、予め定められた高周波数成分に含まれるサブバンドを構成する係数を、前記判定手段による判定結果に応じて、修正する修正手段と、
前記修正手段により修正された係数を含む全ての係数についてエントロピ符号化を行い、符号列を生成する符号化手段と
を備えることを特徴とする画像符号化装置。
【請求項９】
画像に対して符号化を行う画像符号化装置であって、
画像を予め定められたサイズのタイルに分割する分割手段と、
前記分割手段による各タイルに特定の領域が含まれているか否かの判定結果を生成する判定手段と、
前記判断手段による判定結果に応じたフィルタを用いて、前記分割手段による各タイルに対して周波数変換を行い、各タイルに対するサブバンド毎の係数を生成する周波数変換手段と、
前記周波数変換手段によるサブバンドのうち、予め定められた高周波数成分に含まれるサブバンドを構成する係数を、前記判定手段による判定結果に応じて、修正する修正手段と、
前記修正手段により修正された係数を含む全ての係数についてエントロピ符号化を行い、符号列を生成する符号化手段と
を備えることを特徴とする画像符号化装置。
【請求項１０】
前記特定の領域は文字領域を含むことを特徴とする請求項８又は９に記載の画像符号化装置。
【請求項１１】
前記判定手段は、操作者からの特定の領域を示す指示の入力に基づいて前記判定結果を生成することを特徴とする請求項８乃至１０のいずれか１項に記載の画像符号化装置。
【請求項１２】
前記判定手段は、タイルのエッジ情報を求め、当該エッジ情報から前記判定結果を生成することを特徴とする請求項８乃至１０のいずれか１項に記載の画像符号化装置。
【請求項１３】
前記修正手段は、前記予め定められた高周波数成分に含まれるサブバンドを構成する係数、もしくは当該係数の量子化値が、前記特定の領域に含まれていない場合に、前記係数、もしくは前記係数の量子化値を修正することを特徴とする請求項８又は９に記載の画像符号化装置。
【請求項１４】
前記修正手段は、前記予め定められた高周波数成分に含まれるサブバンドを構成する係数、もしくは当該係数の量子化値が、前記特定の領域に含まれていない場合、前記係数、もしくは前記係数の量子化値を０に修正することを特徴とする請求項１３に記載の画像符号化装置。
【請求項１５】
前記周波数変換手段は、離散ウェーブレット変換を用いることを特徴とする請求項８又は９に記載の画像符号化装置。
【請求項１６】
前記符号列は、各タイル毎の前記判定結果を含むことを特徴とする請求項９に記載の画像符号化装置。
【請求項１７】
画像に対して符号化を行う画像符号化方法であって、
画像において、他の領域よりも高解像度で復号を要求する領域を示す領域情報を生成する領域情報生成工程と、
画像に対して周波数変換を施し、サブバンド毎の係数を生成する周波数変換工程と、
前記周波数変換工程によるサブバンドのうち、予め定められた高周波数成分に含まれるサブバンドを構成する係数を、前記領域情報に応じて修正する修正工程と、
前記修正工程で修正された係数を含む全ての係数についてエントロピ符号化を行い、符号列を生成する符号化工程と
を備えることを特徴とする画像符号化方法。
【請求項１８】
画像に対して符号化を行う画像符号化方法であって、
画像を予め定められたサイズのタイルに分割する分割工程と、
前記分割工程による各タイルに対して周波数変換を行い、各タイルに対するサブバンド毎の係数を生成する周波数変換工程と、
前記分割工程による各タイルに特定の領域が含まれているか否かの判定結果を生成する判定工程と、
前記周波数変換工程によるサブバンドのうち、予め定められた高周波数成分に含まれるサブバンドを構成する係数を、前記判定工程による判定結果に応じて、修正する修正工程と、
前記修正工程で修正された係数を含む全ての係数についてエントロピ符号化を行い、符号列を生成する符号化工程と
を備えることを特徴とする画像符号化方法。
【請求項１９】
画像に対して符号化を行う画像符号化方法であって、
画像を予め定められたサイズのタイルに分割する分割工程と、
前記分割工程による各タイルに特定の領域が含まれているか否かの判定結果を生成する判定工程と、
前記判断工程による判定結果に応じたフィルタを用いて、前記分割工程による各タイルに対して周波数変換を行い、各タイルに対するサブバンド毎の係数を生成する周波数変換工程と、
前記周波数変換工程によるサブバンドのうち、予め定められた高周波数成分に含まれるサブバンドを構成する係数を、前記判定工程による判定結果に応じて、修正する修正工程と、
前記修正工程で修正された係数を含む全ての係数についてエントロピ符号化を行い、符号列を生成する符号化工程と
を備えることを特徴とする画像符号化方法。
【請求項２０】
コンピュータを請求項１乃至１６の何れか１項に記載の画像符号化装置が有する各手段として機能させるためのコンピュータプログラム。
【請求項２１】
請求項２０に記載のコンピュータプログラムを格納した、コンピュータが読み取り可能な記憶媒体。
【手続補正２】
【補正対象書類名】明細書
【補正対象項目名】０００１
【補正方法】変更
【補正の内容】
【０００１】
【発明の属する技術分野】
本発明は、画像データを符号化する技術に関するものである。
【手続補正３】
【補正対象書類名】明細書
【補正対象項目名】０００９
【補正方法】変更
【補正の内容】
【０００９】
すなわち、画像に対して符号化を行う画像符号化装置であって、
画像において、他の領域よりも高解像度で復号を要求する領域を示す領域情報を生成する領域情報生成手段と、
画像に対して周波数変換を施し、サブバンド毎の係数を生成する周波数変換手段と、
前記周波数変換手段によるサブバンドのうち、予め定められた高周波数成分に含まれるサブバンドを構成する係数を、前記領域情報に応じて修正する修正手段と、
前記修正手段により修正された係数を含む全ての係数についてエントロピ符号化を行い、符号列を生成する符号化手段と
を備えることを特徴とする。
【手続補正４】
【補正対象書類名】明細書
【補正対象項目名】００１１
【補正方法】変更
【補正の内容】
【００１１】
すなわち、画像に対して符号化を行う画像符号化装置であって、
画像を予め定められたサイズのタイルに分割する分割手段と、
前記分割手段による各タイルに対して周波数変換を行い、各タイルに対するサブバンド毎の係数を生成する周波数変換手段と、
前記分割手段による各タイルに特定の領域が含まれているか否かの判定結果を生成する判定手段と、
前記周波数変換手段によるサブバンドのうち、予め定められた高周波数成分に含まれるサブバンドを構成する係数を、前記判定手段による判定結果に応じて、修正する修正手段と、
前記修正手段により修正された係数を含む全ての係数についてエントロピ符号化を行い、符号列を生成する符号化手段と
を備えることを特徴とする。
【手続補正５】
【補正対象書類名】明細書
【補正対象項目名】００１３
【補正方法】変更
【補正の内容】
【００１３】
すなわち、画像に対して符号化を行う画像符号化装置であって、
画像を予め定められたサイズのタイルに分割する分割手段と、
前記分割手段による各タイルに特定の領域が含まれているか否かの判定結果を生成する判定手段と、
前記判断手段による判定結果に応じたフィルタを用いて、前記分割手段による各タイルに対して周波数変換を行い、各タイルに対するサブバンド毎の係数を生成する周波数変換手段と、
前記周波数変換手段によるサブバンドのうち、予め定められた高周波数成分に含まれるサブバンドを構成する係数を、前記判定手段による判定結果に応じて、修正する修正手段と、
前記修正手段により修正された係数を含む全ての係数についてエントロピ符号化を行い、符号列を生成する符号化手段と
を備えることを特徴とする。